(57)【特許請求の範囲】
【請求項１】
分電盤に設けられた複数の分岐ブレーカの夫々に、接続された電気機器の電力使用量を計測するために設置した計測手段と、計測したデータから電力使用量を演算する電力演算手段と、求めた電力使用量をディスプレイに表示させるための情報表示手段と、前記電力演算手段が求めた電力使用量データを前記情報表示手段に送信するためのサーバとを備え、
前記サーバは、計測したデータから前記分岐ブレーカ毎の電力使用量を演算する電力演算手段と、演算したデータを保存するデータ記憶手段と、電力使用量に対して料金を換算する電力料金換算手段と、予め設定された複数の観光スポットの場所や映像情報を記憶する旅行情報記憶手段と、を有する一方、前記情報表示手段は、居住者の場所情報を入力して前記観光スポットを選択する入力手段を有し、
更に前記サーバは、前記電力料金換算手段が換算した料金から所定の演算により節電金額を演算すると共に、前記情報表示手段から入力された居住者の場所情報と観光スポット情報とから所定の演算により旅行費用を演算し、前記節電金額と前記旅行費用とから、観光スポットまでの到達度を演算する仮想旅行シミュレート手段を有して、
前記情報表示手段からの閲覧要求に応じて、電力使用量、節電金額に加えて、観光スポットまでの到達度を通知し、前記情報表示手段は、受信した情報を前記ディスプレイに表示することを特徴とする宅内電力使用量管理システム。
【請求項２】
前記電力料金換算手段は、前記分岐ブレーカを予め設定されたグループ毎の電力料金を演算し、前記仮想旅行シミュレート手段は前記グループ毎に、節電金額及び前記観光スポットまでの到達度を演算することを特徴とする請求項１記載の宅内電力使用量管理システム。
【請求項３】
前記サーバはＷＥＢページ作成機能を有すると共に、前記情報表示手段が、ＷＥＢブラウザを備えたパーソナルコンピュータやテレビ等の情報機器であり、
前記サーバは、前記情報機器からの閲覧要求に対して、前記観光スポットの場所情報や演算した電気料金、節電金額、観光スポットまでの到達度をＷＥＢページ上に表示して送信することを特徴とする請求項１又は２記載の宅内電力使用量管理システム。
【請求項４】
前記仮想旅行シミュレート手段は、換算した電力料金の一定割合を節電料金として演算し、前記割合は前記情報表示手段から設定可能であることを特徴とする請求項１乃至３の何れかに記載の宅内電力使用量管理システム。
【発明の詳細な説明】
【技術分野】
【０００１】
本発明は、宅内において消費される電力を居住者自身が管理するための宅内電力使用量管理システムに関する。
【背景技術】
【０００２】
従来、宅内で消費される電力の使用量は、月毎に電力会社から送付される請求書で確認する程度であったが、節電意識の高まりや地球温暖化に対する意識の向上、更には太陽光発電等の自家発電装置の登場により、宅内において居住者自身が電力使用量を適宜把握できるようにして、節電を促進することができるシステムが提案されている。
例えば、特許文献１では、自宅の電力消費量を分岐ブレーカ毎に監視し、使用電力量をモニタにグラフ化して表示することで、無駄な電力を消費している分岐系統を把握し易くしている。
【先行技術文献】
【特許文献】
【０００３】
【特許文献１】特開２００８−９２６８１号公報
【発明の概要】
【発明が解決しようとする課題】
【０００４】
上記特許文献１の技術は、分岐ブレーカ毎に使用電力の状況を把握することができるため、居住者がこの情報を利用して節電に生かすことができた。しかしながら、分岐ブレーカ毎の電力使用量情報だけでは節電の成果を把握するのが難しかったし、利用者は節電の意識を持続することが難しく、更なる工夫が必要であった。
【０００５】
そこで、本発明はこのような問題点に鑑み、分岐ブレーカ毎の電力使用量を検出して、居住者が積極的に節電を意識できるよう電力使用量データをデータ加工する機能を備えた宅内電力使用量管理システムを提供することを目的としている。
【課題を解決するための手段】
【０００６】
上記課題を解決する為に、請求項１の発明は、分電盤に設けられた複数の分岐ブレーカの夫々に、接続された電気機器の電力使用量を計測するために設置した計測手段と、計測したデータから電力使用量を演算する電力演算手段と、求めた電力使用量をディスプレイに表示させるための情報表示手段と、前記電力演算手段が求めた電力使用量データを前記情報表示手段に送信するためのサーバとを備え、前記サーバは、計測したデータから前記分岐ブレーカ毎の電力使用量を演算する電力演算手段と、演算したデータを保存するデータ記憶手段と、電力使用量に対して料金を換算する電力料金換算手段と、予め設定された複数の観光スポットの場所や映像情報を記憶する旅行情報記憶手段と、を有する一方、前記情報表示手段は、居住者の場所情報を入力して前記観光スポットを選択する入力手段を有し、更に前記サーバは、前記電力料金換算手段が換算した料金から所定の演算により節電金額を演算すると共に、前記情報表示手段から入力された居住者の場所情報と観光スポット情報とから所定の演算により旅行費用を演算し、前記節電金額と前記旅行費用とから、観光スポットまでの到達度を演算する仮想旅行シミュレート手段を有して、前記情報表示手段からの閲覧要求に応じて、電力使用量、節電金額に加えて、観光スポットまでの到達度を通知し、前記情報表示手段は、受信した情報を前記ディスプレイに表示することを特徴とする。
【０００７】
この構成によれば、分岐ブレーカ毎の電力使用量の状況を把握できる。そして、計測結果から所定の条件で節電料金を演算して、その料金により利用者自身が設定した観光スポットまでの到達度を情報表示手段に表示できるので、利用者は節電によって節約できた金額で旅行できているような気持ちになり、節電による省エネ効果を身近に感じることができる。その結果、積極的に節電を意識し、その意識を継続することが可能となる。
尚、電力使用量とは、単位時間あたりに消費される電力に加え、時間を加味した電力消費量を含むものである。
【０００８】
請求項２の発明は、請求項１に記載の構成において、前記電力料金換算手段は、前記分岐ブレーカを予め設定されたグループ毎の電力料金を演算し、前記仮想旅行シミュレート手段は前記グループ毎に、節電金額及び前記観光スポットまでの到達度を演算することを特徴とする。
この構成によれば、分岐ブレーカをグループ分けして節電金額を算出するので、家族にグループを割り当てれば、家族に対して節電の意識付けができ、家族内の節電意識の向上に役立つ。
【０００９】
請求項３の発明は、請求項１又は２に記載の構成において、前記サーバはＷＥＢページ作成機能を有すると共に、前記情報表示手段が、ＷＥＢブラウザを備えたパーソナルコンピュータやテレビ等の情報機器であり、
前記サーバは、前記情報機器からの閲覧要求に対して、前記観光スポットの場所情報や演算した電気料金、節電金額、観光スポットまでの到達度をＷＥＢページ上に表示して送信することを特徴とする。
この構成によれば、電力使用量データを初め、節電金額や目的地までの到達度状況がＷＥＢページ上に表示されるので、データや目的地到達状況がわかりやすく、情報を把握し易い。
【００１０】
請求項４の発明は、請求項１乃至３の何れかに記載の構成において、前記仮想旅行シミュレート手段は、換算した電力料金の一定割合を節電料金として演算し、前記割合は前記情報表示手段から設定可能であることを特徴とする。
この構成によれば、節電の割合を居住者自身が設定できるので、居住者にとって無理のない節電に取り込めるように設定でき、節電意識を持続させるのに有効である。
【発明の効果】
【００１１】
本発明によれば、電力使用量の計測結果から節電料金を演算して、その料金により利用者自身が設定した観光スポットまでの到達度を情報表示手段に表示できるので、利用者は節電によって節約できた金額で旅行できているような気持ちになり、節電による省エネ効果を身近に感じることができる。その結果、積極的に節電を意識し、その意識を継続することが可能となる。
【図面の簡単な説明】
【００１２】
【図１】本発明に係る宅内電力使用量管理システムの一例を示す構成図である。
【図２】分岐ブレーカ毎の電力使用状況を表したＷＥＢページをである。
【図３】グループを選択して節電状況を表示したＷＥＢページである。
【図４】仮想旅行を実施するためのＷＥＢページである。
【発明を実施するための形態】
【００１３】
以下、本発明を具体化した実施の形態を、図面に基づいて詳細に説明する。図１は本発明に係る宅内電力使用量管理システムの一例を示す構成図であり、１はホーム分電盤、２はパーソナルコンピュータ（以下、ＰＣとする）、３は居住者が携行する携帯電話、４はルータ、５は携帯電話３と通信するためのモデム、Ｎはインターネットを示している。
【００１４】
ホーム分電盤１には、電流制限器（リミッター）１１、主幹ブレーカ１２、複数の分岐ブレーカ１３ａ，１３ａ，・・を列設した分岐ブレーカ群１３、分岐ブレーカ１３ａの各二次端子に設けられた電流センサ１４ａを列設した電流センサ群１４、電力使用量データを演算して演算結果を蓄積するサーバ１５、電路の電圧を検出する電圧センサ１６等が組み込まれている。
【００１５】
そして、サーバ１５は、演算した電力使用量の履歴を記憶したり、電力使用量を金額換算するための換算データ、後述する観光スポットの場所情報、及びその場所まで出かける場合の距離情報、旅費情報等の仮想旅行に必要な情報を記憶する記憶部１５ａ、電力使用量や料金等を演算する電力使用量演算機能、更にＷＥＢページ作成機能を備えたサーバＣＰＵ１５ｂ、携帯電話５へメール送信を行うメール送信部１５ｃ等を備えている。
【００１６】
このように構成されたサーバ１５は次のように動作する。分岐ブレーカ群１３には、電灯、コンセントを介して接続されたエアコン、冷蔵庫やテレビ等の家電製品が接続され、これらに供給される電流を個々の分岐ブレーカ１３ａに取り付けられた変流器等から成る電流センサ１４ａが検知して、サーバ１５に通知する。
この電流情報と、主幹ブレーカ１２の二次端子に設けられている電圧センサ１６から入手した電圧情報とを基に、サーバＣＰＵ１５ｂは、分岐ブレーカ１３ａ毎に消費される電力及び電力消費量等の電力使用量を演算する。そして、この演算結果は記憶部１５ａに記憶される。
また、サーバＣＰＵ１５ｂは、求めた電力使用量を基に記憶部１５ａに予め記憶されている料金換算データを参照して電気料金を算出し、更に後述する所定の演算を実施して求めた電気料金から節電金額を求め、電力使用量と合わせて記憶部１５ａに記憶する。
【００１７】
この電力使用量データや節電金額データは、サーバＣＰＵ１５ｂがメール送信部１５ｃを介して、登録されている携帯電話３に定期的にメール送信される。また、携帯電話３から所定の通信操作することで電力使用量データ等を入手できる。メールはメール送信部１５ｃが作成して送信し、ルータ６、モデム７、インターネットＮを介して携帯電話５に送信される。
【００１８】
また記憶部１５ａには、電灯や家電機器を分岐ブレーカ毎に担当する個人を決め、全ての分岐ブレーカ１３ａ，１３ａ・・をグループ分けしたグループ分け情報が記憶されている。サーバＣＰＵ１５ｂは、個々の分岐ブレーカ１３ａの電力使用量データをそのグループ分け情報に従ってグループ分けして記憶部１５ａに記憶させる。尚、このグループ分けの設定は、住戸に分電盤１を設置した際に行われ、ＰＣ２等をサーバ１５に接続して行われる。
【００１９】
こうして、演算した電力使用量データ等のデータを基に、サーバＣＰＵ１５ｂは図２〜図４に示すようなＷＥＢページを作成する。作成されたＷＥＢページは、ＰＣ２等からアクセスすることで、サーバ１５から送信され、ＰＣ２のモニタ２ａに表示することができる。表示するページの選択は、図示しないページ選択画面等から行われる。尚、ＰＣ２はＷＥＢページを閲覧するためのＷＥＢブラウザを備えている。
【００２０】
図２に示すＷＥＢページは、分岐ブレーカ１３ａ毎の現在の消費電力を表示している。
Ｅ１１は分岐ブレーカ１３ａ毎の現在の消費電力を表示する個別データ表示エリアであり、全ての分岐ブレーカ１３ａ，１３ａ・・の状態が表示される。そして、Ｅ１２はグループ選択エリアであり、見たい分岐ブレーカのグループを選択するエリアとなっている。ここでは、グループは家族の夫々に対応しているので、グループの選択は個人の顔から成るアイコンを選択することで実施できるよう構成されている。このアイコンをクリックすれば、全分岐ブレーカのうち選択された人物に割り当てられたグループが色の変化等の強調表示される（図示せず）。
また、Ｅ１３は例えば部屋別の現在の消費電力を表示する現在情報表示エリアとなっている。
【００２１】
図３に示すＷＥＢページは、グループ毎の節電金額、即ち家族夫々に割り当てられた分岐ブレーカ１３ａの電力料金や節電金額を表示するページとなっている。Ｅ２１は調べたい家族を選択する家族選択エリア、Ｅ２２は先月か今月か見たい月を選択するデータ選択エリア、Ｅ２３は選択された家族の電気料金或いは節電金額を具体的に表示する個別情報表示エリアとなっている。この図３では、家族選択エリアＥ２１において、父親に割り当てられたグループが選択され、またデータ選択エリアＥ２２において先月のデータが選択された場合を示し、節電金額が個別情報表示エリアＥ２３に順位付けされて表示された状態を示している。尚、ここでは節電金額を表示しているが、電力料金に切り換える場合は、図示しない表示選択ボタンを操作すれば良い。
【００２２】
図４に示すＷＥＢページは、仮想旅行を行うための仮想旅行ＷＥＢページとなっている。Ｅ３１、Ｅ３２は国内の目的地を設定する目的地設定エリアであり、Ｅ３１は都道府県で設定する際に入力するエリア、Ｅ３２は地図上から目的地を設定する際に使用するエリアとなっている。観光スポットは都道府県毎に少なくとも１箇所設定されている。
Ｅ３３は観光スポットの情報が表示される情報表示エリアであり、目的地設定エリアＥ３１，Ｅ３２で都道府県が選択されると、選択された観光スポットの画像が表示される。また、Ｅ３４は設定した目的地に到達するのに必要な金額を表示する旅費表示部、Ｅ３５は目的地を設定してから今日までの経過を表示する経過日数表示部、Ｅ３６は出発してから現在までの節電金額の合計を表示する節電金額表示部、Ｅ３７は設定した目的地に向けて出発する際に操作する出発ボタン、Ｅ３８は目的地までの到達状況を表示する到達度表示部である。
【００２３】
尚、節電金額及び旅費の表示は「エコマネー」と表示している。また、Ｅ３２内に記されたマークＰ１は自宅を示し、黒丸Ｐ２は過去に到達した観光スポット、Ｐ３は新たに設定された目的地を示している。自宅の位置は、グループ設定時に合わせて入力される。
【００２４】
この仮想旅行の操作の流れを具体的に説明すると、先ず節電金額を自動演算するために節電金額の求め方を設定する。ここでは、電力消費量から演算した電気料金の一定割合を節電金額に設定する。ただし、１年前の電気料金が蓄積されている場合は、１年前の金額と比較してその差額を基に節電金額を設定しても良い。
【００２５】
次に上述したように、目的地設定エリアＥ３１或いはＥ３２を操作して目的地を設定する。目的地が設定されると、サーバＣＰＵ１５ｂは、目的地の場所情報と設定されている自宅の場所情報を基に自宅から設定された目的地までの距離を演算し、演算した距離情報と記憶部１５ａに記憶されている旅費情報を基に、所定の演算により居住者が目的地に出かけるのに必要な旅費を演算する。
その後、出発ボタンＥ３７を操作する（クリックする）と、目的地までの到達割合が到達度表示部Ｅ３８に表示される。ここでは目的地Ｐ３として北海道が設定されているので、旅費表示部Ｅ３４の数値と節電金額表示部Ｅ３６の数値から北海道までの到達率が算出され、表示される。
【００２６】
こうして、節電金額が目的地までの旅費に達したら、目的設定時には見ることが出来なかった目的地の観光スポットの詳しい写真や食べ物、更には温泉の情報等が表示される（図示せず）。これらの演算、表示制御はサーバＣＰＵ１５ｂにより実施される。
尚、この図４に示す仮想旅行ＷＥＢページは、全ての分岐ブレーカ１３ａの電気料金で表示した場合を示しているが、このページにも家族選択エリアを設ければ、グループ別の表示も容易に実施でき、家族でゲーム感覚で仮想旅行を楽しむことが可能となる。
【００２７】
このように、分岐ブレーカ１３ａ毎の電力使用量の状況を把握できる。そして、計測結果から所定の条件で節電料金を演算して、その料金により利用者自身が設定した観光スポットまでの到達度を情報表示手段に表示できるので、利用者は節電によって節約できた金額で旅行できているような気持ちになり、節電による省エネ効果を身近に感じることができる。その結果、積極的に節電を意識し、その意識を継続することが可能となる。
また、分岐ブレーカ１３ａをグループ分けして節電金額を算出するので、家族内でグループを割り当てれば、家族に対して節電の意識付けができ、家族内の節電意識の向上に役立つ。
更に、電力使用量データを初め、節電金額や目的地までの到達度状況をＷＥＢページ上でみることができるので、情報が見やすく把握し易い。
また、節電の割合を居住者自身が設定できるので、居住者にとって無理のない節電に取り込めるように設定でき、節電意識を持続させるのに有効である。
【００２８】
尚、上記実施形態では、ＰＣ２を情報表示手段として使用しているが、ＷＥＢブラウザを備えた機器であれば情報表示手段として使うことができ、インターネット対応テレビやゲーム機のＷｉｉ（登録商標）を使用しても良い。
【符号の説明】
【００２９】
１・・ホーム分電盤、２・・パーソナルコンピュータ（情報表示手段、入力手段）、５・・携帯電話、７・・モデム、１３・・分岐ブレーカ群、１４・・電流センサ群（計測手段）、１５・・サーバ、１５ａ・・記憶部（データ記憶手段、旅行情報記憶手段）、１５ｂ・・サーバＣＰＵ（電力演算手段、電力料金換算手段、仮想旅行シミュレート手段）。
【図１】
0005415893.tif 000002
【図２】
0005415893.tif 000003
【図３】
0005415893.tif 000004
【図４】
0005415893.tif 000005